(57)【要約】      （修正有）【課題】癌腫瘍の荷電粒子照射と併用する荷電粒子ビーム抽出方法及び装置において、加速器の中で荷電粒子を効率的に抽出する。【解決手段】一対の抽出羽根４１２，４１４であって、少なくとも１ｋvの直流電圧が、一対の抽出羽根４１２，４１４の間に印加され、エネルギーが低下した荷電粒子ビームが、一対の抽出羽根４１２，４１４の間を通過する、一対の抽出羽根４１２，４１４と、ラムバートソン偏向器磁石２９２であって、一対の抽出羽根４１２，４１４の間に印加された前記直流電圧が、ラムバートソン偏向器磁石２９２を通る前記エネルギーが低下した荷電粒子ビームの方向を変え、ラムバートソン偏向器磁石２９２が、前記エネルギーが低下した正に荷電された粒子ビームを生成する、ラムバートソン偏向器磁石２９２とを備える装置。【選択図】図４
2014146606.tif 000002
【特許請求の範囲】
【請求項１】
正に荷電された粒子ビームを抽出する装置であって、当該装置が、
偏向磁石のセット内を周回するビームパスを備え、正に荷電された粒子が当該ビームパス内を周回する、シンクロトロンと、
前記正に荷電された粒子ビームにベータトロン振動を発生させて、ベータトロン振動荷電粒子ビームを生成するように構成されている高周波空洞システムと、
当該周回するビームパスの外周近傍にある固相箔の抽出部材であって、前記ベータトロン振動荷電粒子ビームが、当該固相箔の抽出部材を通過することによって、エネルギーが低下した正に荷電された粒子ビームを生成し、当該固相箔の抽出部材が、本質的に、６個以下のプロトンから成る、固相箔の抽出部材と、
一対の抽出羽根であって、少なくとも１ｋvの直流電圧が、当該一対の抽出羽根の間に印加され、前記エネルギーが低下した荷電粒子ビームが、当該一対の抽出羽根の間を通過する、一対の抽出羽根と、
ラムバートソン偏向器磁石であって、当該一対の抽出羽根の間に印加された前記直流電圧が、ラムバートソン偏向器磁石を通る前記エネルギーが低下した荷電粒子ビームの方向を変え、当該ラムバートソン偏向器磁石が、前記エネルギーが低下した正に荷電された粒子ビームを生成する、ラムバートソン偏向器磁石と
を備える装置。
【請求項２】
当該シンクロトロンが、さらに、中心を備え、当該一対の抽出羽根が、当該中心から第一の半径方向距離を備え、当該周回するビームパスが当該中心から第二の半径方向距離を備え、当該第一の半径方向距離が当該第二の半径方向距離より短い、請求項１に記載の装置。
【請求項３】
正に荷電された粒子ビームをシンクロトロンから抽出する方法であって、
当該シンクロトロン内の偏向磁石のセット内で周回ビームパス内に前記正に荷電された粒子ビームを周回させる工程と、
高周波空洞システムを用いて、前記正に荷電された粒子ビームにベータトロン振動を発生させて、ベータトロン振動荷電粒子ビームを生成する工程と、
当該周回するビームパスの外周近傍にある固相箔の抽出部材を設ける工程であって、当該固相箔の抽出部材が、本質的に、６個以下のプロトンから成る、工程と、
前記ベータトロン振動荷電粒子ビームを、当該固相箔の抽出部材に通過させる工程であって、エネルギーが低下した正に荷電された粒子ビームが生成される工程と、
少なくとも１ｋvの直流電圧を、一対の抽出羽根の間に印加し、前記エネルギーが低下した荷電粒子ビームを、当該一対の抽出羽根の間に通過させる工程と、
ラムバートソン偏向器磁石を通る前記エネルギーが低下した荷電粒子ビームの方向を変える工程であって、当該一対の抽出羽根の間に印加された前記直流電圧が、ラムバートソン偏向器磁石に入るように方向を変えた粒子ビームを生成し、当該ラムバートソン偏向器磁石が、前記エネルギーが低下した正に荷電された粒子ビームを生成する、工程と
を備える方法。
【請求項４】
当該一対の抽出羽根の間に少なくとも５００Ｖを印加する工程を、さらに、備える請求項３に記載の方法。
【請求項５】
当該通過させる工程が、当該固相箔の抽出部材から電子を放出させてフィードバック制御電流を形成する工程と、
当該フィードバック制御電流を使用して、前記抽出された正に荷電された粒子ビーム内の正に荷電された粒子の数を動的に変更するように当該高周波空洞システムを制御する工程とを、
備える、請求項４に記載の方法。
【発明の詳細な説明】
【技術分野】
【０００１】
本発明は、一般的には強力な癌の治療に関する。さらに詳しくは、本発明は、癌腫瘍の放射治療と併用する荷電粒子ビーム抽出方法及び装置に関する。
【背景技術】
【０００２】
（癌）
腫瘍は異常な組織のかたまりである。腫瘍には良性のもの又は悪性のものがある。良性の腫瘍は局部的に成長するが、体の他の部分に広がることはない。良性の腫瘍は、広がるときに正常な組織を押しのけたり、取って代わったりするので、問題を引き起こす。良性の腫瘍は、頭蓋骨などの限られた場所では危険である。悪性の腫瘍は、体の他の領域を浸食する能力がある。転移とは、癌が正常な組織を浸食することであり、且つ離れた組織に広がることである。
【０００３】
（癌の治療）
癌の治療には、小源照射治療、磁石Ｘ線治療、陽子治療を含め、種々の形態の照射治療がある。
【０００４】
陽子治療は、通常、ビーム発生器、加速器、及び、患者の体の腫瘍に陽子を配送する複数の治療室に加速された陽子を移動させるビーム搬送システムを備えている。陽子治療は、粒子加速器で加速された陽子などのエネルギー値の高いイオン化粒子を目標の腫瘍に向けることによって機能する。これらの粒子は、細胞のＤＮＡを破壊し、ついには細胞を死滅させる。癌細胞は、急速な分裂及び破壊されたＤＮＡを回復する能力が低下しているので、癌細胞のＤＮＡは攻撃を特に受けやすい。
【０００５】
陽子は、その比較的大きなサイズのために、組織の中では容易には散乱せず、横方向の分散は極めてわずかである。したがって、陽子ビームは、周辺組織に対して大きな横方向の破壊を及ぼさずに、腫瘍の形状にフォーカスされた状態を維持する。所定のエネルギーのすべての陽子は、ブラッグ・ピーク（Bragg peak）によって定まるある飛程（体内距離）を持っており、組織に対する配送線量比は粒子の飛程のまさに最後の数ミリの範囲で最大になる。浸透する深さは粒子のエネルギーに依存し、その深さは陽子加速器によって粒子が加速された速度に直接関係する。陽子の速度は、加速器の最大速度に調節することができる。したがって、腫瘍が位置している組織の非常に深いところに達する陽子ビームによって、細胞の破壊にフォーカスを合わせることができる。ブラッグ・ピークの前に位置している組織はある程度低下した照射線量を受けるが、ブラッド・ピークの後に位置している組織は照射を受けない。
【０００６】
（シンクロトロン）
K. Hiramoto等に対して１９８９年９月２６日に付与された特許文献１「Accelerator System（加速システム）」には、放射線同位体生成ユニット又はシンクロトロンのいずれかにおける予備加速器によって加速されたイオン・ビームを導入するための選択磁石を備えた加速システムが記載されている。
【０００７】
K. Hiramoto等に対して１９９８年８月４日に付与された特許文献２「Circular Accelerator, Method of Injection of Charged Particle Thereof, and Apparatus for Injection of Charged Thereof（円形加速器、その荷電粒子の入射方法及び入射装置）」及びK. Hiramoto等に対して１９９７年２月４日に付与された特許文献３「Circular Accelerator, Method of Injection of Charged Particle Thereof, and Apparatus for Injection of Charged Thereof（円形加速器、その荷電粒子の入射方法及び入射装置）」の双方には、入射ビームがダクトの幾何学的な中心に合う高さ及び幅を持つ真空ダクトの中に多くの荷電粒子を入射する方法及び装置が記載されている。
【０００８】
（加速器／シンクロトロン）
H. Tanaka等に対して２００７年８月２１日に付与された特許文献４「Charged Particle Accelerator（荷電粒子加速器）」には、第１の加速期間及びその後の第２の加速期間に印加される固定の電場によって２つの期間の加速処理を有し、コンパクトでハイパワーの荷電粒子加速を実現する荷電粒子加速器が記載されている。
【０００９】
T. Haberer等に対して２００４年１月２７日に付与された特許文献５「Ion Beam Therapy System and Method for Operating the System（イオン・ビーム治療システム及びそのシステムの操作方法）」には、イオン・ビーム治療システム及びそのシステムの稼働方法が記載されている。そのイオン・ビーム・システムは、エッジ・フォーカス効果から生じる平行スキャン・モードの結果を得る最後の偏向磁石の前に、垂直偏向システム及び水平偏向システムが配置された移動保持台（ガントリー）を使用する。
【００１０】
V. Kulish等に対して２００２年８月１３日に付与された特許文献６「Inductional Undulative EH-Accelerator（誘導波動のＥＨ加速器）」には、荷電粒子ビームの加速のための誘導波動のＥＨ加速装置が記載されている。その装置は電磁波動システムで構成され、その電磁波用駆動システムは、約１００ｋＨｚから１０ＧＨｚまでの範囲の周波数で動作する高周波発振器の形態で作られている。
【００１１】
K. Saito等に対して１９９９年６月２９日に付与された特許文献７「Radio-Frequency Accelerating System and Ring Type Accelerator Provided with the Same（高周波加速システム及びそのシステムを用いたリングタイプ加速器）」には、磁気コア群に結合されたループ・アンテナ及びループ・アンテナに接続されたインピーダンス調整手段を有する高周波加速システムが記載されている。そのインピーダンス調整手段には比較的低い電圧が供給されるので、小型構造の調整手段を実現している。
【００１２】
J. Hirota等に対して１９９７年８月２６日に付与された特許文献８「Ion Beam Accelerating Device Having Separately Excited Magnetic Cores （分離して励磁された磁気コアを有するイオン・ビーム加速装置）」には、複数の高周波磁場誘導ユニット及び磁気コアを有するイオン・ビーム加速装置が記載されている。
【００１３】
J. Hirota等に対して１９９２年１２月１日に付与された特許文献９「Acceleration Device for Charged Particles （荷電粒子の加速装置）」には、結合定数及び又は再調整を制御するために組み合わされた高周波電力源及び制御の下に動作するループ導体を備え、粒子に対して電力をより効率的に送信できる加速空洞が記載されている。
【００１４】
（磁石形状）
M. Tadokoro 等に対して２００２年４月２日に付与された特許文献１０「Electromagnetic and Magnetic Field Generating Apparatus（磁石及び磁場発生装置）」、M. Tadokoro 等に対して２００１年５月２２日に付与された特許文献１１「Electromagnetic and Magnetic Field Generating Apparatus（磁石及び磁場発生装置）」の各々には、一対の磁極、戻りヨーク、及び励磁コイルが記載されている。一対の磁極の各々の内部に有する複数のエア・ギャップ空間によって、磁場強度を増加している。
【００１５】
（抽出）
T. Nakanishi等に対して２００６年１０月１７日に付与された特許文献１２「Charged-Particle Beam Accelerator, Particle Beam Radiation Therapy System Using the Charged-Particle Accelerator, and Method of Operating the Particle Beam Radiation Therapy System（荷電粒子ビーム加速器、その荷電粒子ビーム加速器を用いた粒子ビーム照射治療システム、及びその粒子ビーム照射治療システムの稼働方法）」には、安定した共鳴の領域内の荷電粒子ビームのベータトロン振動の振幅を増加するＲＦ−ＫＯユニット、及び、安定した共鳴の領域を変化させる抽出用４極磁石を備えた荷電粒子ビーム加速器が記載されている。ＲＦ−ＫＯユニットは、周回ビーム線量が安定した共鳴の領域の限界を超えない周波数範囲内で稼働され、抽出用４極磁石は、ビーム抽出が必要な時間に稼働される。
【００１６】
T. Haberer等に対して２００６年８月１５日に付与された特許文献１３「Method and Device for Controlling a Beam Extraction Raster Scan Irradiation Device for Heavy Ions or Protons（重イオン又は陽子のビーム抽出ラスター・スキャン照射装置を制御する方法及び装置）」には、すべての加速周期におけるビーム・エネルギー、ビーム・フォーカス、及びビーム強度の観点から、ビーム抽出照射を制御する方法が記載されている。
【００１７】
K. Hiramoto等に対して２００２年１０月２９日に付与された特許文献１４「Accelerator and Medical System and Operating Method of the Same（加速器及び医療システム、及びその稼働方法）」には、荷電粒子ビームの周回を形成するための偏向磁石及び４極磁石を有する周期型加速器、ベータトロン振動の安定した共鳴限界を生成するための多極磁石、並びに、高周波の電磁場をビームに与えて安定限界の外にビームを移動する高周波電源が記載されている。高周波電源は、時間に対する瞬間周波数が変化し、且つ、時間に対する瞬間周波数の平均値が異なる複数の交流（ＡＣ）信号の加算信号を生成する。システムは、電極を介してビームに加算信号を供給する。
【００１８】
K. Hiramoto等に対して２０００年７月１１日に付与された特許文献１５「Synchrotron Type Accelerator and Medical Treatment System Employing the Same（シンクロトロン型加速器及びそれを使用した医療システム）」及びK. Hiramoto等に対して１９９９年１２月２８日に付与された特許文献１６「Synchrotron Type Accelerator and Medical Treatment System Employing the Same（シンクロトロン型加速器及びそれを使用した医療システム）」には、高周波の電磁場を周回している荷電粒子ビームに供給するため、及び、粒子ビームのベータトロン振動の振幅を安定した共鳴限界を超えるレベルまで増加するための周回軌道上に設けられた高周波供給ユニットを備えたシンクロトロン型加速器が記載されている。さらに、ビーム放出のために、発散用４極磁石が、（１）第１の偏向器に対しては下流に、（２）偏向磁石に対しては上流に、（３）偏向磁石に対しては下流に、及び（４）第２の偏向器に対しては上流に、配置されている。
【００１９】
K. Hiramoto等に対して１９９４年１１月８日に付与された特許文献１７「Circular Accelerator and Method and Apparatus for Extracting Charged-Particle Beam in Circular Accelerator（円形加速器及びその円形加速器における荷電粒子ビームの抽出方法及び入射装置）」には、（１）ベータトロン振動共鳴の効果によってビーム変位を向上するため、（２）安定した共鳴限界内で最初のベータトロン振動を有する粒子のベータトロン振動を向上するため、及び（３）共鳴安定限界を超えることで、安定した共鳴限界を超える粒子を抽出するために、荷電粒子ビームを抽出する円形加速器が記載されている。
【００２０】
K. Hiramoto等に対して１９９４年２月８日に付与された特許文献１８「Method of Extracting Charged Particles from Accelerator, and Accelerator Capable Carrying Out the Method, by Shifting Particle Obit（加速器から荷電粒子を抽出する方法、及び、粒子軌道を変位することによって、その方法を実行することができる加速器）」には、荷電粒子を抽出する方法が記載されている。偏向磁石及び６極の要素よりも多い多極の要素を有する磁石によって維持されている荷電粒子の均衡な軌道は、荷電粒子の周回軌道一周あたりの振動数（チューン）を変更する磁石とは異なる方法で、加速器の構成要素によって変位される。
【００２１】
（ビーム・エネルギー／強度）
M. Yanagisawa 等に対して２００８年４月８日に付与された特許文献１９「Charged Particle Therapy System, Range Modulation Wheel Device, and Method of Installing Range Modulation Wheel Device（荷電粒子線治療システム、飛程補償装置、及び飛程補償装置を導入する方法）」及びM. Yanagisawa 等に対して２００８年５月３０日に付与された特許文献２０「Charged Particle Therapy System, Range Modulation Wheel Device, and Method of Installing Range Modulation Wheel Device（荷電粒子線治療システム、飛程補償装置、及び飛程補償装置を導入する方法）」の双方には、飛程補償体を有する粒子線治療システムが記載されている。イオン・ビームが飛程補償体を通過して、飛程補償体の複数の段階的な厚さに対応する複数のエネルギーレベルを得る結果になる。
【００２２】
M. Yanagisawa 等に対して２００７年１１月２０日に付与された特許文献２１「Particle Beam Irradiation System and Method of Adjusting Irradiation Apparatus（粒子ビーム照射システム及び照射装置の調整方法）」、M. Yanagisawa 等に対して２００６年７月４日に付与された特許文献２２「Particle Beam Irradiation System and Method of Adjusting Irradiation Apparatus（粒子ビーム照射システム及び照射装置の調整方法）」、M. Yanagisawa 等に対して２００６年４月１１日に付与された特許文献２３「Particle Beam Irradiation System and Method of Adjusting Irradiation Apparatus（粒子ビーム照射システム及び照射装置の調整方法）」、及びM. Yanagisawa 等に対して２００４年８月１７日に付与された特許文献２４「Particle Beam Irradiation System and Method of Adjusting Irradiation Apparatus（粒子ビーム照射システム及び照射装置の調整方法）」のすべてには、散乱装置、飛程調整装置、ピーク拡散装置が記載されている。散乱装置及び飛程調整装置は互いに組み合わされて、ビーム軸に沿って移動される。拡散装置は軸に沿って独立に移動され、イオン・ビーム散乱の度合いを調整する。組み合わせることによって、装置は、低下した組織に対する照射線量分布の均一性の度合いを向上させる。
【００２３】
A. Sliski等に対して２００７年４月２４日に付与された特許文献２５「Programmable Particle Scatter for Radiation Therapy Beam Formation（照射治療ビーム形成のためのプログラマブル粒子散乱）」には、所定の方法において散乱角度及びビーム飛程を補償するために、粒子ビームの中に配置する液体のプログラム可能な経路長が記載されている。荷電粒子ビーム散乱部／飛程補償部は、粒子ビーム経路内において対面する壁を有する液体貯蔵部、及び、プログラム可能な制御部の制御の下に液体貯蔵部の壁の間の距離を調整する駆動部を備えて、組織内の所定の深さに所定の拡散ブラッド・ピークを形成する。ビームの散乱及び補償は、腫瘍の治療の期間に連続的且つ動的に調整されて、目標になっている所定の３次元の体に線量を堆積する。
【００２４】
M. Tadokoro 等に対して２００７年７月２４日に付与された特許文献２６及び２００６年１２月２６日に付与された特許文献２７「Particle Therapy System（粒子線治療システム）」の各々には、照射の使用期間中に荷電粒子ビームのエネルギーを測定可能な粒子線治療システムが記載されている。そのシステムは、ビームが間を通過する一対のコリメータ、エネルギー検出器、及び検出器に取り付けられた信号処理ユニットを備えている。
【００２５】
G. Kraft等に対して２００５年５月１０日に付与された特許文献２８「Ion Beam Scanner System and Operating Method（イオン・ビーム・スキャン・システム及び稼働方法）」には、スキャンされる目標の体に対する機械的位置合わせシステムを有すると共に、目標の体の要素の深度ずれスキャンが得られるリニアモータによるイオン・ビームの深度調整及びエネルギー吸収手段の横の変位を可能にするイオン・ビーム・スキャン・システムが記載されている。
【００２６】
G. Hartmann等に対して２００４年５月１８日に付与された特許文献２９「Method for Operating an Ion Beam Therapy System by Monitoring the Distribution of the Radiation Dose（照射線量の分布を監視することによってイオン・ビーム治療システムを稼働させる方法）」には、格子スキャナーを備え、治療焦点（アイソセンタ）周辺の領域に照射し且つスキャンするイオン・ビーム治療システムの稼働方法が記載されている。アイソセンタの領域の変化する位置において、格子スキャナー装置の深度線量分布及び横方向線量分布の両方とも、測定され且つ評価される。
【００２７】
Y. Jongen 等に対して２００４年４月６日に付与された特許文献３０「Method for Treating a Target Volume with a Particle Beam and Device Implementing Same（粒子ビームによって目標の体を治療する方法及びそれを実施する装置）」には、目標の部位に向けて照射される細いスポットを粒子ビームから生成する方法において、そのスポットの走査速度及び粒子ビームの強度が同時に変化されることが記載されている。
【００２８】
G. Kraft等に対して２００４年３月２３日に付与された特許文献３１「Device for Irradiating a Tumor Tissue（腫瘍組織を照射する装置）」には、腫瘍組織を照射する方法及び装置が記載され、その照射においては、イオン・ビームの方向及びイオン・ビームの飛程を共に調整する陽子ビームの深度切換のために、陽子ビーム経路においてイオン制動装置を電磁的に駆動している。
【００２９】
K. Matsuda等に対して２００３年９月９日に付与された特許文献３２「Charged Particle Beam Irradiation Apparatus（荷電粒子ビーム照射装置）」には、複数のフィルタ素子の各々のイオン・ビームの通過位置の違いによって生じるエネルギーが異なる３つのイオン・ビーム成分を有する拡大装置を介して、イオン・ビームがブラッグ・ピークを通過することによって、ブラッグ・ピークの深さ方向における幅を増大する荷電粒子ビーム照射装置が記載されている。
【００３０】
H. Stelzer 等に対して２００２年８月２０日に付与された特許文献３３「Ionization Chamber for Ion Beams and Method for Monitoring the Intensity of an Ion Beam（イオン・ビームに対するイオン化容器及びイオン・ビーム強度を監視する方法）」には、イオン・ビームに対するイオン化容器及びイオン・ビーム強度を監視する方法が記載されている。イオン化容器は、容器筐体、ビーム入口窓、ビーム出口窓、ビーム出口窓、及び計数ガスで満たされた容器体を有する。
【００３１】
H. Akiyama 等に対して２００２年８月１３日に付与された特許文献３４「Charged-Particle Beam Irradiation Method and System（荷電粒子ビーム照射方法及びシステム）」及びH. Akiyama 等に対して２００１年７月２４日に付与された特許文献３５「Charged-Particle Beam Irradiation Method and System（荷電粒子ビーム照射方法及びシステム）」には共に、粒子のエネルギーを変更する変更部及び荷電粒子ビームの強度を制御する制御部を有する荷電粒子ビーム照射システムが記載されている。
【００３２】
Y. Pu等に対して２０００年３月７日に付与された特許文献３６「Charged Particle Beam Irradiation Apparatus and Method of Irradiation with Charged-Particle Beam（荷電粒子ビーム照射装置及び荷電粒子ビームを用いた照射方法）」には、（１）ある長さの円筒部品、及び（２）回転軸のまわりの円周方向において、照射ビームのエネルギー低下を決定す壁厚の配分を有するエネルギー低下部を備えた荷電粒子ビーム照射装置が記載されている。
【００３３】
（線量）
K. Matsuda等に対して２００７年１１月２７日に付与された特許文献３７「Particle Beam Irradiation System（粒子ビーム照射システム）」には、照射装置からのイオン・ビームの出力を停止する停止信号を使用して、照射目標物における均一な線量分布を保証する粒子ビーム照射システムが記載されている。
【００３４】
H. Sakamoto等に対して２００６年５月３０日に付与された特許文献３８「Radiation Treatment Plan Making System and Method（照射治療計画作成システム及び方法）」には、１つの被爆領域を複数の被爆領域に分割し、照射治療条件を計画するために照射シミュレーションを使用して所望の領域に対する平坦な照射被爆を得る照射被爆システムが記載されている。
【００３５】
G. Hartmann等に対して２００４年９月２８日に付与された特許文献３９「Method For Verifying the Calculated Radiation Dose of an Ion Beam Therapy System（イオン・ビーム治療システムの計算された照射線量を検証する方法）」には、人体模型を備え、計算された照射線量と人体模型との間の不一致を検証するイオン・ビーム治療システムの計算された照射線量を検証する方法が記載されている。
【００３６】
H. Brand等に対して２００３年９月２日に付与された特許文献４０「Method for Monitoring the Irradiation Control of an Ion Beam Therapy System（イオン・ビーム治療システムの照射制御を監視する方法）」には、イオン・ビーム治療システムの計算された照射制御ユニットをチェックする方法が記載され、その中で、スキャンするデータセット、制御コンピュータのパラメータ、測定センサのパラメータ、及びスキャナー磁石の望ましい電流値が永続的に記憶される。
【００３７】
T. Kan 等に対して２００１年３月２７日に付与された特許文献４１「Water Phantom Type Dose Distribution Determining Apparatus（水の人体模型タイプの線量分散決定装置）」には、密閉されて縁まで水で満たされた水槽、及び、その中に挿入されて、照射治療の前に照射の実際の線量分布を決定するのに使用されるセンサを備えた水の人体模型タイプの線量分散装置が記載されている。
【００３８】
（呼吸）
K. Matsuda等に対して１９９６年７月２３日に付与された特許文献４２「Radioactive Beam Irradiation Method and Apparatus Taking Movement of the Irradiation Area Into Consideration（照射領域の移動を考慮した放射性のビーム照射方法及び装置）」には、呼吸及び心臓の鼓動などの身体的作用のために患部の位置が変化した場合であっても、照射が可能な方法及び装置が記載されている。最初に、患者の患部の位置変化及び身体的作用が同時に測定されて、それらの間の関係が関数として定義される。照射治療は、その関数に応じて実施される。
【先行技術文献】
【特許文献】
【００３９】
【特許文献１】米国特許第４，８７０，２８７号明細書
【特許文献２】米国特許第５，７８９，８７５号明細書
【特許文献３】米国特許第５，６００，２１３号明細書
【特許文献４】米国特許第７，２５９，５２９号明細書
【特許文献５】米国特許第６，６８３，３１８号明細書
【特許文献６】米国特許第６，４３３，４９４号明細書
【特許文献７】米国特許第５，９１７，２９３号明細書
【特許文献８】米国特許第５，６６１，３６６号明細書
【特許文献９】米国特許第５，１６８，２４１号明細書
【特許文献１０】米国特許第６，３６５，８９４号明細書
【特許文献１１】米国特許第６，２３６，０４３号明細書
【特許文献１２】米国特許第７，１２２，９７８号明細書
【特許文献１３】米国特許第７，０９１，４７８号明細書
【特許文献１４】米国特許第６，４７２，８３４号明細書
【特許文献１５】米国特許第６，０８７，６７０号明細書
【特許文献１６】米国特許第６，００８，４９９号明細書
【特許文献１７】米国特許第５，３６３，００８号明細書
【特許文献１８】米国特許第５，２８５，１６６号明細書
【特許文献１９】米国特許第７，３５５，１８９号明細書
【特許文献２０】米国特許第７，０５３，３８９号明細書
【特許文献２１】米国特許第７，２９７，９６７号明細書
【特許文献２２】米国特許第７，０７１，４７９号明細書
【特許文献２３】米国特許第７，０２６，６３６号明細書
【特許文献２４】米国特許第６，７７７，７００号明細書
【特許文献２５】米国特許第７，２０８，７４８号明細書
【特許文献２６】米国特許第７，２４７，８６９号明細書
【特許文献２７】米国特許第７，１５４，１０８号明細書
【特許文献２８】米国特許第６，８９１，１７７号明細書
【特許文献２９】米国特許第６，７３６，８３１号明細書
【特許文献３０】米国特許第６，７１７，１６２号明細書
【特許文献３１】米国特許第６，７１０，３６２号明細書
【特許文献３２】米国特許第６，６１７，５９８号明細書
【特許文献３３】米国特許第６，４３７，５１３号明細書
【特許文献３４】米国特許第６，４３３，３４９号明細書
【特許文献３５】米国特許第６，２６５，８３７号明細書
【特許文献３６】米国特許第６，０３４，３７７号明細書
【特許文献３７】米国特許第７，３７２，０５３号明細書
【特許文献３８】米国特許第７，０５４，８０１号明細書
【特許文献３９】米国特許第６，７９９，０６８号明細書
【特許文献４０】米国特許第６，６１４，０３８号明細書
【特許文献４１】米国特許第６，２０７，９５２号明細書
【特許文献４２】米国特許第５，５３８，４９４号明細書
【発明の概要】
【発明が解決しようとする課題】
【００４０】
体内における癌腫瘍の粒子線治療の技術分野においては、荷電粒子治療システムのシンクロトロンから荷電粒子を効率的に抽出することが求められている。また、その技術分野においては、特定のエネルギー、時間、及び又は強度で荷電粒子を抽出して、周辺の患者の正常組織への破壊を最小限にして、効率的に、精密に、及び又は正確に、無痛で、強力な癌腫瘍の生体内の治療をするための荷電粒子ビームを実現することが求められている。
【課題を解決するための手段】
【００４１】
本発明は、癌腫瘍に対する荷電粒子ビームの照射治療と併用する荷電粒子ビームの抽出方法及び装置を構成する。
【図面の簡単な説明】
【００４２】
【図１】粒子線治療システムのサブシステムの接続を示す図である。
【図２】シンクロトロンを示す図である。
【図３】シンクロトロン内の偏向磁石を示す図である。
【図４】粒子ビーム抽出システムを示す図である。
【図５】粒子ビームの強度制御システムを示す図である。
【図６】ビーム加速を明示する図である。
【図７】ビーム強度を明示する図である。
【図８】（Ａ）は患者の腫瘍の荷電粒子治療を示す図であり、（Ｂ）は荷電粒子ビームの３次元スキャンを示す図である。
【図９】呼吸に合わせた腫瘍照射を示す図である。
【図１０】変化する呼吸速度に同期した荷電粒子の配送を示す図である。
【発明を実施するための形態】
【００４３】
本発明は、癌腫瘍に対する荷電粒子ビームの照射治療と併用する荷電粒子ビームの抽出方法及び装置を構成する。
【００４４】
体内組織の腫瘍に対する陽子の正確且つ精密な配送は、荷電粒子線治療において重要である。この実施形態において、シンクロトロンからの荷電粒子ビームの抽出は、荷電粒子の癌腫瘍治療システムの一部として説明する。実施形態のシステムは、高周波（ＲＦ）空洞システムを使用して荷電粒子の流れをベータトロン振動に誘導する。荷電粒子の流れの十分な振幅変調は、荷電粒子の流れによって箔などの部材を叩くことを引き起こす。箔は荷電粒子の流れのエネルギーを低下させ、シンクロトロンにおける荷電粒子の流れの曲率半径を十分小さくするので、低下したエネルギーの荷電粒子の流れを最初の荷電粒子の流れから物理的に分離することが可能になる。次に、物理的に分離された荷電粒子の流れは、供給される磁場及び偏向器の使用によってシステムから取り出される。抽出システムについてはさらに後で説明する。
【００４５】
（荷電粒子ビーム治療）
この明細書を通じて、陽子ビーム、水素イオン・ビーム、又はカーボン・イオン・ビームなどの、荷電粒子線治療について説明する。この実施形態では、陽子ビームを用いる荷電粒子線治療について説明する。しかしながら、陽子ビームの観点から教示し説明する態様は、陽子ビームの態様に限定されるものではなく、荷電粒子ビーム・システムを説明するためのものである。任意の荷電粒子ビーム・システムも、この実施形態に記載された技術に等しく応用することができる。
【００４６】
図１には、荷電粒子ビーム・システム１００が示されている。荷電粒子ビーム・システムは、好ましくは、主制御部１１０、入射システム１２０、（１）加速器システム１３２及び（２）抽出システム１３４を通常有するシンクロトロン１３０、スキャン／目標／配送システム１４０、患者インターフェース・モジュール１５０、表示システム１６０、及び又は、画像システム１７０のうち任意のものを有するいくつかのサブシステムを備えている。
【００４７】
一実施形態においては、１つ以上のサブシステムがクライアントに収容されている。クライアントは、例えば、パーソナル・コンピュータ、デジタル媒体プレーヤ、パーソナル・デジタル・アシスタント、その他のクライアント装置として動作するために構成されたコンピュータ・プラットホームである。クライアントは、例えば、マウス、キーボード、表示装置、その他のいくつかの外部又は内部の入力装置に接続されるプロセッサを備えている。プロセッサはまた、情報を表示するコンピュータ・モニタ等の出力装置に接続されている。一実施形態においては、主制御部１１０がプロセッサである。他の実施形態においては、主制御部１１０は、メモリに格納されてプロセッサによって実行される一組の命令である。
【００４８】
クライアントは、コンピュータ読取可能な記憶媒体すなわちメモリを有する。メモリは、コンピュータ読取可能な命令を記憶する電子記憶媒体、光記憶媒体、磁気記憶媒体、若しくは他の記憶媒体、又は、コンピュータ読取可能な命令を有するプロセッサに接続できる送信装置、例えば、タッチ・センサ入力装置と併用されるプロセッサを備えているが、これらに限定されるものではない。適切な媒体の他の実施例には、例えば、フラッシュ・メモリ、ＣＤ−ＲＯＭ、読取専用メモリ（ＲＯＭ）、ランダム・アクセス・メモリ（ＲＡＭ）、特定用途向け集積回路（ＡＳＩＣ）、ＤＶＤ、磁気ディスク、メモリ・チップその他が含まれる。プロセッサは、メモリに記憶された一組の読取可能なプログラム・コードの命令を実行する。その命令は、例えば、Ｃ、Ｃ＋＋、Ｃ＃、Visual Basic、Java（登録商標）、及びJavaScript（登録商標）を含む任意のコンピュータ・プログラミング言語からのコードを有することができる。
【００４９】
荷電粒子ビーム・システム１００を使用する方法の一実施例を提供する。主制御部１１０は、１つ以上のサブシステムを制御して、陽子を患者の患部に正確に且つ精密に配送する。例えば、主制御部１１０は、体及び又は腫瘍の位置などの画像を画像システム１７０から取得する。また、主制御部１１０は、位置情報及び又はタイミング情報を患者インターフェース・システム・モジュール１５０から取得する。次に、主制御部１１０は、入射システム１２０をオプションとして制御してシンクロトロン１３０の中に陽子を入射する。シンクロトロンは、通常、少なくとも加速システム１３２及び抽出システム１３４を有する。主制御部１１０は、好ましくは、例えば、陽子ビームの速度、軌道、及びタイミングを制御することにより、加速システム内の陽子ビームを制御する。次に、主制御部は、抽出システム１３４によって加速器からの陽子ビームの抽出を制御する。例えば、制御部は、抽出されたビームのタイミング、エネルギー、及び又は強度を制御する。また、制御部１１０は、好ましくは、スキャン／目標／配送システム１４０によって、陽子ビームの目標を患者インターフェース・モジュール１５０にするように制御する。患者インターフェース・モジュール１５０の１つ以上の要素は、好ましくは、主制御部１１０によって制御される。さらに、表示システム１６０の表示要素は、好ましくは、主制御部１１０を介して制御される。表示スクリーン等の表示要素は、通常、一人以上のオペレータ及び又は一人以上の患者に対して提供される。一実施形態においては、主制御部１１０は、陽子が最適な治療方法で患者に配送されるように、すべてのシステムからの陽子ビームの配送のタイミングを測る。
【００５０】
この実施形態において、主制御部１１０は、荷電粒子ビーム・システム１００を制御する単一のシステム、荷電粒子ビーム・システム１００を制御する複数のサブシステムを制御する単一のシステム、又は、荷電粒子ビーム・システム１００の１つ若しくは複数のサブシステムを制御する複数の個々の制御部を指す。
【００５１】
（シンクロトロン）
この実施形態において、シンクロトロンという用語は、周回経路において荷電粒子ビームを維持するシステムを指すのに使用される。しかしながら、サイクロトロンは、そのエネルギー、強度、及び抽出制御の固有の限界にもかかわらず、シンクロトロンの代わりに使用される。さらに、この実施形態では、荷電粒子ビームは、シンクロトロンの中央点の周りに周回経路に沿って周回するビームと称される。あるいは周回経路は軌道経路と称されるが、軌道路は完全な円又は楕円を指すものではなく、それはむしろ中央点又は中央領域の周囲の陽子の循環を指すものである。
【００５２】
図２は、荷電粒子ビーム・システム１００の１つのバージョンの実施例を説明する図である。構成要素の番号、位置、及び記載されたタイプは、説明をするためのものであり、何らこれらに限定されるものではない。図に示された実施形態において、入射システム２１０又はイオン源又は荷電粒子ビーム源は、陽子を発生する。陽子は、シンクロトロンの中に延びて、そこを通って、そこから出る真空管の中に配送される。発生された陽子は、最初の経路２６２に沿って配送される。４極磁石又は入射用４極磁石などのフォーカス用磁石２３０は、陽子ビーム経路をフォーカスするのに使用される。４極磁石は、フォーカス磁石である。入射用偏向磁石２３２は、陽子ビームをシンクロトロン１３０の平面の方向に偏向する。初期のエネルギーを持つフォーカスされた陽子は、入射用磁石２４０の中に誘導され、その入射用磁石２４０は、好ましくは、入射用ラムバートソン磁石である。通常、最初のビーム経路２６２は、シンクロトロン１３０の周回面から外れた上側の軸に沿っている。入射用偏向磁石２３２及び入射用磁石２４０は組み合わされて、陽子をシンクロトロン１３０の中に移動させる。主偏向磁石又は双極磁石又は周回用磁石２５０は、陽子を周回ビーム経路２６４に沿って向きを変えるのに使用される。双極磁石は偏向磁石である。主偏向磁石２５０は、最初のビーム経路２６２を周回ビーム経路２６４の中に偏向する。この実施例においては、主偏向磁石２５０又は周回用磁石は、４個の磁石の４組として表され、周回ビーム経路２６４を安定した周回ビーム経路に維持する。しかしながら、任意の数の磁石又は任意の組の磁石が、周回プロセスにおいて単一の軌道の周りに陽子を移動するためにオプションとして使用されてもよい。陽子は、加速器２７０の中を通り抜ける。加速器は、周回ビーム経路２６４の中で陽子を加速する。陽子が加速されるときには、磁石によって供給される磁場が増加される。特に、加速器によって達成される陽子の速度は、主偏向磁石２５０又は周回用磁石の磁場に同期してシンクロトロンの中央点又は中央領域２８０のまわりで陽子の安定した周回を維持する。周回経路又は軌道の中に陽子を維持する間、加速器２７０／主偏向磁石２５０が連携して時分割で使用され、陽子を加速及び又は減速する。予備加速器／偏向器システム２９０の抽出要素は、ランバートソン抽出磁石２９２と組み合わせて使用されて、シンクロトロン１３０内において周回ビーム経路２６４から陽子を離反させる。偏向器要素の一例がランバートソン磁石である。通常、偏向器は、陽子を、周回面から例えばその上方の周回面から外れた軸に移動させる。抽出された陽子は、好ましくは、配送路２６８に沿った４極磁石などの抽出用偏向磁石２３７及び抽出用フォーカス磁石２３５を用いて、スキャン／目標／配送システム１４０の中に導かれ及び又はフォーカスされる。スキャン・システム又は目標システムの２つの要素は、通常、垂直制御部などの第１の軸制御部１４２、及び水平制御部などの第２の軸制御部１４４を有する。一実施形態において、第１の軸制御部１４２は、陽子ビーム２６８の垂直又はｙ軸の約１００ｍｍをスキャンすることが可能であり、第２の軸制御部１４４は、陽子ビーム２６８の水平又はｘ軸の約７００ｍｍをスキャンすることが可能である。ノズル・システムは、陽子ビームの像を作るのに使用され、及び又は、シンクロトロンの低圧ビーム経路と大気圧との間の真空障壁として使用される。制御された陽子は、患者インターフェース・モジュール１５０及び患者の腫瘍に配送される。上記に掲げたすべての要素は任意のものであり、種々の置き換え及び組合せにおいても使用することができる。上記に掲げた要素についてはさらに後で説明する。
【００５３】
（イオン・ビーム発生システム）
イオン・ビーム発生システムは、水素陰イオンすなわちＨ−ビームなどの陰イオン・ビームを発生し、好ましくは、その陰イオン・ビームをフォーカスし、その陰イオン・ビームを陽子又はＨ＋ビームなどの陽イオン・ビームに変換し、その陽イオン・ビームをシンクロトロン１３０の中に照射する。イオン・ビーム経路の陽子は、好ましくは、軽度の真空のもとにある。
【００５４】
この実施形態において、シンクロトロンは、周回経路において荷電粒子ビームを維持するシステムを指すのに使用される。さらに、この実施形態では、荷電粒子ビームは、シンクロトロンの中央点の周りに周回経路に沿って周回するビームと称される。あるいは周回経路は軌道経路と称されるが、軌道路は完全な円又は楕円を指すものではなく、それはむしろ中央点又は中央領域２８０の周囲の陽子の循環を指すものである。
【００５５】
（周回システム）
シンクロトロン１３０は、直線部及びイオン・ビームの方向転換部を備えることが好ましい。したがって、陽子の周回経路は、シンクロトロンの中の円というよりも、むしろ角が丸い多角形である。
【００５６】
一実施形態においては、シンクロトロン１３０は、加速器システムと同じものを意味することもあり、４個の直線部及び４個の方向転換部を有する。直線部の実施例は、予備加速器２４０、加速器２７０、抽出システム２９０、及び偏向器２９２を備えている。４個の直線部に加えてイオン・ビーム方向転換部があり、それは磁石部又は方向変換部を意味することもある。例えば、方向転換部は、約２、４、６、又は８個の一組の偏向磁石である。方向転換部についてはさらに後で説明する。
【００５７】
図２を参照して、シンクロトロンの例について説明する。この実施例においては、最初の陽子ビーム経路に沿って配送された陽子は、周回ビーム経路の中で予備加速器２４０によって予備加速されて、加速後は偏向器２９２を介してビーム搬送路２６８に抽出される。この実施例においては、シンクロトロン１３０は、４個の直線部９１０及び４個の曲げ部又は方向転換部を備え、４個の方向転換部の各々は、１つ以上の磁石を使用して陽子ビームを約９０度偏向する。さらに後で説明するように、方向変更部の間隔を小さくできること及び陽子ビームを効率的に偏向できることで、より短い直線部が実現する。直線部を短くすることで、シンクロトロンの周回経路内にフォーカス４極磁石を使用せずに、シンクロトロンの設計をすることができる。周回陽子ビーム経路からフォーカス４極磁石を取り除く結果、さらに小型の設計ができる。この実施例においては、図示されたシンクロトロンは、周回経路内にフォーカス４極磁石を使用しているシステムが８メートルの直径及び大きな断面直径を持っているのに対して、約５メートルの直径を持っている。
【００５８】
入射用磁石２４０及び予備加速器／偏向器システム２９０の間の第１の方向転換部について追加して説明する。追加説明の方向転換部は、（１）予備加速器／偏向器システム２９０からラムバートソン抽出磁石２９２に、（２）ラムバートソン抽出磁石２９２から加速器２７０に、及び（３）加速器２７０から入射用磁石２４０に、至るものである。方向転換部の各々は、約２、４、６、８、１０、又は１２個の磁石のように多数の磁石を有することが好ましい。この実施例において、第１の方向転換部における４個の偏向磁石又は周回磁石２５０は、鍵の原理を示すために使用され、各方向転換部における磁石の使用個数は同じである。
【００５９】
（偏向磁石のフォーカス形状）
図３には、単一の磁石２５０の断面が示されている。方向転換部は、ギャップ３１０を有し、その中を陽子が周回する。磁石アセンブリは、第１の磁石３２０及び第２の磁石３３０を有する。コイルによって誘発された磁場は、ギャップ３１０を横断して第１の磁石３２０と第２の磁石３３０との間に延びる。戻りの磁場は、第１のヨーク３２２及び第２のヨーク３３２の中を延びる。磁場は、第１の巻線コイル３５０及び第２の巻線コイル３６０を用いて生成される。空気ギャップなどの分離用又は収束用ギャップ３４０は、鉄基材のヨークをギャップ３１０から分離する。ギャップ３１０は、ギャップ３１０にわたって均一な磁場を発生させるために、ほぼ平らになっている。図に示すように、第１の磁石３２０は、好ましくは、鉄基材の最初の断面距離３７０を有する。磁場の輪郭は磁石３２０、３３０及びヨーク３２２、３３２によって第１の断面距離又は領域３７４から第２の断面距離又は領域３７６に至る形状になっている。例えば、第１の断面距離は約１５ｃｍであり、第２の断面距離は約１０ｃｍである。第２の例においては、第２の断面距離は、第１の断面距離の７０％よりも小さい。これらの例において、コアは、第２の断面距離３７２に向かって角度θで小さくなっている。上述したように、磁石の磁場は、分離ギャップ３４０に対向して鉄基材のコア内に偏在している。断面距離は、最初の断面距離３７０から最後の断面距離３７２に向かって小さくなっているので、磁場は収束する。角度θのために、長い距離３７０から短い距離３７２に向かって進んで行く磁場が増幅される。磁場の収束は、最初の断面３７０における最初の磁場ベクトルの密度から最後の断面３７２における磁場ベクトルの収束された密度に向かう表現によって示されている。磁場の収束は、偏向磁石の形状で決まるので、巻線コイル３５０、３６０の数をより少なくすることが要求され、巻線コイル３５０、３６０に対する電力供給も小さくすることが要求される。
【００６０】
（偏向磁石の補正コイル）
図３において、１つ以上の偏向磁石の強度を補正するのに使用される追加の補正コイル３８０、３９０が示されている。補正コイル３８０、３９０は、巻線コイル３５０、３６０を補うものである。補正コイルの電力供給は、巻線コイルの電力供給と比較すると、それに必要な電力のほんの何分の１、例えば、巻線コイル３５０、３６０で使用される電力の約１、２、３、５、７、又は１０％で、約１又は２％で動作が可能であることが好ましい。補正コイル３８０、３９０に供給される動作電力が小さくなればなるほど、補正コイルをさらに正確及び又は精密に制御することが可能になる。補正コイル３８０、３９０は、偏向磁石２５０における不具合を調整するのに使用される。分離した補正コイルは、各偏向磁石に対してオプションとして使用されて、各偏向磁石に対する磁場の個々の偏向ができるので、各偏向磁石の製造における品質要求を容易に叶えることができる。
【００６１】
巻線コイルは、好ましくは、１、２、又は４個の偏向磁石２５０をカバーする。１つ以上の高精度の磁場センサがシンクロトロン内に配置されて、陽子ビーム経路において又はその近傍で磁場を測定するのに使用される。例えば、磁場センサは、ギャップ３１０において若しくはその近傍、又は磁気コア若しくはヨークにおいて若しくはその近傍など、偏向磁石の間及び又は偏向磁石の中にオプションとして配置される。センサは、補正コイルに対するフィードバック・システムの一部であり、主制御部によってオプションとして駆動する。このように、システムは、好ましくは、磁石に供給される電流を安定化するというよりむしろ、シンクロトロンの要素における磁場を適切に安定化する。磁場の安定化によって、シンクロトロンは新たなエネルギーレベルに迅速に到達できる。このことにより、システムは、オペレータ又はアルゴリズムによって、シンクロトロンの各パルス及び又は患者の各呼吸によって選択されたエネルギーレベルを制御する。
【００６２】
（偏向磁石の面取りされたエッジ）
単一の偏向磁石の両端は、面取りがされていることが好ましい。偏向磁石２５０のエッジを面取りすることで陽子をフォーカスする。多数の偏向磁石は、シンクロトロン１３０において各々がエッジ・フォーカス効果を有する多数の偏向磁石エッジを実現する。例えば、４個の磁石がシンクロトロンの方向転換部の中に使用された場合には、単一の偏向磁石において、１個の磁石に対して２つのエッジにより、８個のエッジ・フォーカス効果面が可能になる。８個のフォーカス面は、より小さな断面ビームサイズをもたらす。このことは、より小さなギャップの使用を可能にする。各方向転換部が４個の偏向磁石を有し、且つ、各偏向磁石が２つのエッジを有する偏向磁石を４個備えたシンクロトロンにおいては、シンクロトロン１３０の周回経路の中の陽子の各軌道に対して、合計３２のフォーカス・エッジが存在する。同様に、２、６、又は８個の磁石が所定の方向転換部に使用され、又は、２、３、５、若しくは６個の磁石が使用された場合には、エッジ・フォーカス面の数は、次の式３に応じて拡大又は縮小する。
ＴＦＥ＝ＮＴＳ＊（Ｍ／ＮＴＳ）＊（ＦＥ／Ｍ）            （１）
ここで、ＴＦＥはフォーカス・エッジの数、ＮＴＳは方向転換部の数、Ｍは磁石の数、ＦＥはフォーカス・エッジの数である。もちろん、すべての磁石が面取りされる必要はなく、いくつかの磁石は１つのエッジのみをオプションとして面取りをしてもよい。
【００６３】
この実施形態に記載されたシステムの種々の実施形態において、シンクロトロンは以下の任意の組合せを備えている。
・４つの方向転換部を有するシンクロトロンにおける荷電粒子ビームの９０度の偏向ごとに少なくとも４個、好ましくは６、８、１０個、以上のエッジのフォーカス・エッジ、
・シンクロトロンにおける荷電粒子ビームの軌道ごとに少なくとも約１６個、好ましくは２４、３２個、以上のエッジのフォーカス・エッジ、
・少なくとも４個、好ましくは８個のエッジのフォーカス・エッジを各方向転換部が有する４個のみの方向転換部、
・同数の直線部及び方向転換部、
・きっかり４個の方向転換部、
・方向転換部ごとに少なくとも４個のエッジのフォーカス・エッジ、
・４極磁石を有しないシンクロトロンの周回経路、
・丸い角の多角形の構造、
・６０メートル未満の円周、
・６０メートル未満の円周及び３２個のフォーカス・エッジ面、及び
・シンクロトロンの各周回経路においてフォーカス・エッジのエッジを有する４極磁石からなる約８、１６、２４、又は３２個の４極磁石を持たない構造。
【００６４】
（陽子ビームの抽出）
図４には、シンクロトロン１３０からの陽子抽出処理の一実施例が示されている。明確にするために、図４では、図２に示した偏向磁石などの要素を取り除くことで、時間の関数としての陽子ビーム経路の表現を非常に明確にすることができる。一般的には、陽子を遅くすることにより、シンクロトロン１３０から陽子が抽出される。上述したように、陽子は周回経路２６４の中で最初に加速されて、複数の偏向磁石２５０によりその加速された陽子が維持される。周回経路は、この実施形態では最初の中心のビームライン２６４と呼ばれる。陽子は、シンクロトロン２８０の中心のまわりを繰り返し周回する。陽子経路は、ＲＦ空洞システム４１０の中で向きを変える。抽出を開始するために、ＲＦ空洞システムにおいて、第１の羽根４１２及び第２の羽根４１４にわたってＲＦ磁場が供給される。第１の羽根４１２及び第２の羽根４１４は、この実施形態では第１の対の羽根と呼ばれる。
【００６５】
陽子抽出処理においては、第１の対の羽根にわたってＲＦ電圧が供給され、そこでは第１の対の羽根の第１の羽根４１２は周回陽子ビーム経路２６４の一方の側にあり、第１の対の羽根の第２の羽根４１４は周回陽子ビーム経路２６４の反対側にある。供給されたＲＦ磁場は、周回する荷電粒子ビームに対してエネルギーを与える。供給されたＲＦ磁場は、軌道又は周回ビーム経路をわずかに変更して、最初の中心のビームライン２６４から周回ビーム経路２６５にする。ＲＦ空洞システムの中で陽子が第２の経路に移動すると、ＲＦ磁場は、最初のビームラインからはずれた陽子をさらに移動する。例えば、最初のビームラインが円形の経路であるとすると、変更されたビームラインはわずかに楕円形の経路になる。供給されるＲＦ磁場はタイミングを合わせて、シンクロトロン加速器の中で周回する陽子の所定の軌道を内側又は外側に移動させる。陽子の各軌道は、最初の周回ビーム経路２６４と比べて少しずつさらに外れた軸になっている。ＲＦ空洞システムを通る陽子の連続する通過は、ＲＦ磁場を通る陽子ビームの連続する各通過に伴って、ＲＦ磁場の方向及び又は強度を変更することによって、最初の中心のビームライン２６４から次第に移動を強いられる。
【００６６】
ＲＦ電圧は、１回の回転に対してシンクロトロンのまわりを周回する１つの陽子の周期にほぼ等しい周波数で周波数変調されるか、又は、シンクロトロンのまわりを周回する１つの陽子の周期の積分乗算器よりも高い周波数で周波数変調される。供給されたＲＦ周波数変調電圧は、ベータトロン振動を励起する。例えば、その振動は陽子の正弦波の動きになっている。ＲＦ空洞システム内の所定の陽子ビームに対するＲＦ磁場タイミングの処理は、陽子が最初の中心ビームライン２６４からさらにほぼ１マイクロメートル離れて動く連続する各通過で数千倍繰り返される。説明を明確にするために、ＲＦ磁場を通る陽子の所定の軌道の連続する各経路と共にほぼ１０００回変化するビーム経路が、変更されたビーム経路２６５として図示されている。
【００６７】
正弦波のベータトロンの十分な振幅があるので、変更された周回ビーム経路２６５は、箔又は箔のシートなどの部材４３０に接触する。箔は、軽量の材料、例えば、ベリリウム、水素化リチウム、カーボン・シート、又は低い核電荷の物質であることが好ましい。低い核電荷の物質は、実質的には６個又はそれより少ない個数の陽子を持つ原子で構成された物質である。箔は、好ましくは、約１０乃至１５０ミクロンの厚さであり、さらに好ましくは、３０乃至１００ミクロンの厚さであり、さらにいっそう好ましくは、４０乃至６０ミクロンの厚さである。一実施例では、箔は、約５０ミクロンの厚さのベリリウムである。陽子が箔の中を通り抜けると、陽子のエネルギーが失われ、陽子の速度が低下される。後述するように、通常、電流も発生される。低速度で動く陽子は、最初の中央ビームライン２６４又は変更された周回経路２６５のいずれかと比べて、小さくなった曲率半径２６６でシンクロトロン内を移動する。小さくなった曲率半径２６６の路についても、ここでは、より小さい直径の軌道を有する経路又は低エネルギーの陽子を有する経路という。小さくなった曲率半径２６６は、通常、変更された陽子ビーム経路２６５に沿った陽子の最後の通過の曲率半径よりも約２ミリメートル小さい。
【００６８】
部材４３０の厚さは、曲率半径における変化が、例えば、陽子の最後の通過路２６５又は最初の曲率半径２６４よりも約１／２、１、２、３、又は４ｍｍ小さく形成されるようにオプションとして調整される。より小さな曲率半径で動く陽子は、第２の対の羽根４１４、４１６の間を移動する。第２の対の羽根４１４、４１６も、一対の抽出羽根と称される。第１の場合においては、第２の対の羽根は、第１の対の羽根とは物理的に別個のもの及び又は分離したものになっている。第２の場合においては、第１の対の羽根の１つが第２の対の羽根の要素にもなっている。例えば、第２の対の羽根は、ＲＦ空洞４１０内の第２の羽根４１４及び第３の羽根４１６である。ここで、約０．５、１、２、３、４、又は５ｋＶなどの高電圧のＤＣ信号が第２の対の羽根の両端に印加されると、ラムバートソン抽出磁石などの抽出磁石２９２によって、陽子をシンクロトロンの外の輸送路２６８に導く。
【００６９】
＜実施例Ｉ＞
第１の実施例において、陽子は、速度が遅くなった陽子が箔に衝突することによってシンクロトロンから抽出される。最初は、ある陽子経路、例えば、１つの金属素材がシンクロトロンにおける周回陽子経路の第１の側面上にあり、第２の金属素材が陽子経路に対して反対側にある２つの金属素材にわたってＲＦ信号が供給される。ＲＦ電圧が２つの金属素材の両端に供給される。供給されるＲＦ電圧は変調又は周波数変調されて、陽子の経路に振動を誘導する。その振動は陽子ビームの陽子を箔に向かわせる。この場合、箔は約５０ミクロンの厚さのベリリウム材である。箔の電子は陽子の速度を遅くする結果、ビーム経路は、サイクロトロンにおいて繰り返し周回する陽子よりも小さい平均直径を有することになる。小さい平均直径のビーム経路を持つ陽子は、高いＤＣ電界を横断し、その電界は、シンクロトロンの外に陽子を導くか、又はシンクロトロンの外に陽子を導くラムバートソン磁石の中に陽子を導く。
【００７０】
＜実施例ＩＩ＞
図４には、シンクロトロン１３０の一例が示されている。一組の磁石は、シンクロトロンの第１の曲率半径を有する反復周回経路２６４において陽子を制御する。第１の経路における陽子は、ＡＣ高周波電圧が印加される２つの金属プレートからなる第１の対の金属プレート４１２、４１４の間を横切る。そのＡＣ電圧は、いくつかの陽子に振動を引き起こし、それらの陽子は、陽子の速度を低下させる箔の部材４３０を通過する。遅い速度で移動する陽子は、小さい曲率半径の経路２６６で周回する。小さい曲率半径を持つ陽子は、それから、第２の対の金属プレート４１４、４１６の間の高い電圧の電場のようにＤＣの電場の間を通過し、その電場は新たな経路に陽子を導く。オプションとして、新たな経路２６６は、シンクロトロンから離れるように陽子を導く、ラムバートソン磁石の磁場などの別の磁場を横切る。
【００７１】
一般に、抽出処理においては、シンクロトロンの中を周回している陽子を獲得して、獲得した陽子が箔を通過するときにその速度を低下させる。周回している陽子は、その周回している陽子のエネルギーと偏向磁石によって供給される磁場とに関連づけられた曲率半径を有する。陽子が箔を通過してエネルギーが減少する結果、第１の曲率半径よりも小さい第２の曲率半径を生じる。したがって、陽子は、周回している陽子ビーム経路に関係するシンクロトロンの中心に抽出される。箔を通過した後の曲率半径がより小さくなって速度が遅くなった陽子は、第２のプレートと第３のプレートとの間への電場の供給、並びに、ラムバートソン偏向器などの偏向器の使用によって、シンクロトロンから排出される。
【００７２】
（強度の制御）
図５において、通常、陽子ビーム内の陽子が部材４３０を叩くと、電子が放出される。その結果生じた電流は、オプションとして測定され、主制御部１１０又は強度制御部のサブシステム５４０に送られる。その電流は、周回ビーム経路の強度の測定として使用され、且つ、ＲＦ空洞システムを制御するのに使用される。一具体例においては、閾値を超えた電流が計測されたときは、ＲＦ空洞内のＲＦ磁場変調が終了又は起動停止がなされて、陽子ビーム抽出の十分な周期を確立する。この処理は繰り返されて、シンクロトロン加速器からの陽子ビーム抽出を多く繰り返すことができる。他の具体例においては、その電流は、抽出された陽子ビームの強度を制御するフィードバック制御として使用される。
【００７３】
図５において、上述したように、フィードバック・ループが抽出システムに追加される。陽子ビーム内の陽子が部材４３０を叩くと、電子が放出されて電流が発生する。発生した電流は、電圧に変換されて、イオン・ビーム強度監視システムの要素として、又は、ビーム強度制御のためのイオン・ビーム・フィードバック・ループの要素として用いられる。その電圧は、オプションとして測定されて、主制御部１１０又は制御部のサブシステム４１０にオプションとして送られる。特に、荷電粒子ビーム経路内の陽子が部材４３０を通過すると、いくつかの陽子はほんの何分の１のエネルギー、例えば、約１０分の１の割合のエネルギーを失って、その結果２次電子が発生する。すなわち、荷電粒子ビーム内の陽子は、部材４３０を通過するときに２次放出を生じるに十分なエネルギーの電子を与えることで、いくつかの電子を放出する。発生した電子の流れは、目標の部材４３０を通過する陽子の数に比例する電流又は信号を発生する。発生した電流は、電圧に変換されて増幅されることが好ましい。発生した信号は、測定された強度信号と呼ばれる。
【００７４】
陽子が部材４３０を通過した結果得られた増幅された信号又は測定された強度信号は、抽出された陽子の強度を制御するのに使用されることが好ましい。例えば、測定された強度信号は、腫瘍面５６０の照射においてあらかじめ設定される目標信号と比較される。測定された強度信号と予定された目標信号との間の差分が計算される。その差分がＲＦ発生器に対する制御として使用される。したがって、陽子が部材４３０を通過した結果生じて測定された電流の流れは、ＲＦ発生器において、ベータトロン振動を受け且つ部材４３０に衝突する陽子の数の増加又は減少を制御するのに使用される。したがって、部材４３０の電圧のうち差し引いて算出された電圧は、軌道経路の測定として使用され、且つ、ＲＦ空洞システムを制御するためのフィードバック制御として使用される。これに代えて、他の実施例では、測定された強度信号は、フィードバック制御には使用されず、抽出された陽子の強度の監視としてのみ使用される。
【００７５】
上述したように、陽子が部材４３０に衝突することは、シンクロトロン１３０から陽子を抽出する中での工程である。したがって、測定された強度信号は、抽出される単位時間に対する陽子の数を変化するのに使用され、陽子ビームの強度と呼ばれる。このため、陽子ビームの強度は、アルゴリズム制御に従うことになる。さらに、陽子ビームの強度は、シンクロトロン１３０における陽子の速度から分離して制御される。したがって、抽出された陽子の強度及び抽出された陽子のエネルギーは独立して変化する。
【００７６】
例えば、陽子はシンクロトロン１３０の中で最初は平衡状態の軌道で移動する。ＲＦ磁場は、ベータトロン振動の中に陽子を励起するのに使用される。１つの場合では、陽子の軌道の周波数は約１０ＭＨｚである。一実施例においては、約１ミリ秒間において又は約１０，０００回の軌道の後において、最初の陽子が目標の部材４３０の外側のエッジを叩く。その特定の周波数は、軌道の周期に依存している。陽子が部材４３０を叩くと、陽子は箔によって電子を放出て電流を生成する。その電流は電圧に変換されて増幅され、測定された強度信号を取得できる。測定された強度信号は、供給されるＲＦの大きさ、ＲＦの周波数、又はＲＦ磁場を制御するためのフィードバック入力として使用される。好ましくは、測定された強度信号は、目標信号と比較され、測定された強度信号と目標信号との差分の測定値は、抽出の工程で陽子の強度を制御するための抽出システムにおいてＲＦ空洞システム５１０に供給されるＲＦ磁場を調整するのに使用される。繰り返して言及すると、陽子が部材４３０を叩くことによって及び又は陽子が部材４３０を通過することによって発生する信号は、ＲＦ磁場変調への入力として使用される。ＲＦ変調の大きさを増加するほど、その結果、陽子が箔又は部材４３０を叩くのが次第に遅くなる。ＲＦを増加することによって、より多くの陽子が箔の中に放出され、その結果、シンクロトロン１３０から抽出される陽子の強度又は単位時間当たりの陽子の数が増加する。
【００７７】
他の実施例において、シンクロトロン１３０の外部の検出器５５０は、シンクロトロンから抽出された陽子の束を測定するのに使用され、外部の検出器からの信号は、ＲＦ空洞システム５１０におけるＲＦ磁場又はＲＦ変調を変更するのに使用される。ここで、外部の検出器は外部信号を発生し、その信号は、前の段落において説明した測定された強度信号と同じ方法によって使用される。特に、測定された強度信号は、フィードバック強度制御部５４０における照射面５６０からの所望の信号と比較され、上述したように、抽出処理における第１のプレート４１２及び第２のプレート４１４の間のＲＦ磁場を調整する。
【００７８】
さらに他の実施例において、陽子が部材を通過すること又は部材を叩くことで生じる部材４３０からの電流が閾値を超えたことが測定されたときは、ＲＦ空洞システム内のＲＦ磁場変調は、終了又は起動停止がなされて、陽子ビーム抽出の十分な周期が確立される。この処理は繰り返されて、シンクロトロン加速器からの陽子ビーム抽出を多く繰り返すことができる。
【００７９】
さらにまた他の実施例において、抽出された陽子ビームの強度変調は、主制御部１１０によって制御される。主制御部１１０は、荷電粒子ビームの抽出のタイミング及び抽出された陽子ビームのエネルギーをオプションとして及び又は補足的に制御する。
【００８０】
システムの利点には、多次元のスキャン・システムが含まれる。特に、システムは、（１）抽出された陽子のエネルギー、及び（２）抽出された陽子の強度に、独立性を持たせることができる。すなわち、抽出された陽子のエネルギーは、エネルギー制御システムによって制御され、抽出された陽子の強度は、強度制御システムによって制御される。エネルギー制御システム及び強度制御システムは、オプションとして且つ独立して制御される。好ましくは、主制御部１１０は、エネルギー制御システムを制御し、また、主制御部は、強度制御システムを同時に制御して、制御されたエネルギー及び制御された強度が独立して変化する中で、制御されたエネルギー及び制御された強度によって抽出される陽子ビームが得られる。このように、腫瘍をたたく照射スポットは、
・時間
・エネルギー
・強度
・患者に対する陽子ビームの水平方向の移動を表すｘ軸の位置、
・患者に対する陽子ビームの垂直方向の移動を表すｙ軸の位置
の独立した制御下におかれる。さらに、患者は、同じ時間における陽子ビームの変換軸に対してオプションとして且つ独立して回転される。
【００８１】
（タイミング）
さらに、本発明の他の実施形態において、主制御部１１０は、抽出のタイミングを制御する。例えば、抽出は、患者の呼吸に同期する。具体的には、患者の内部の器官、骨、及び体の構造が再現できる位置又は再現できる相対的な位置にある時に陽子ビームが発生されるので、患者の呼吸が底の時に抽出が実行される。体内組織の腫瘍に対する陽子の正確且つ精密な配送は、荷電粒子ビーム治療において重要である。正確且つ精密な配送を複雑にするのは、体の自然な動きである。体の動きは多様なレベルを引き起こし、（１）歩行などの一般的な患者の動き、（２）立位、座位、又は横臥の位置のバリエーション、及び（３）器官などの体内部位の相対的な動きを、含んでいる。これらの動きのすべては、同時に変化する。したがって、陽子ビームの抽出のタイミングをとる方法は、患者の腫瘍に対して配送される陽子ビームの目標、精密さ、及び又は正確さを向上させるという結果になる。
【００８２】
（陽子のエネルギー及び強度の制御）
図６及び図７には、陽子配送システムにおける陽子エネルギー及び強度性能が示されている。図６には、３３０ＭｅＶの最大エネルギーまでのビーム加速が示されている。さらに、１つの周期における変化に富んだ陽子ビームの加速及び減速が示されている。特に、最初の１秒から４秒までの第１の周期においては、ビームは、１００ＭｅＶに加速され、５０ＭｅＶに減速され、再び１５０ＭｅＶに加速されている。５秒に始まる次の周期においては、陽子エネルギーは、３３０ＭｅＶに急激に増加されて、そこで１秒間そのエネルギーが維持される。その維持されたエネルギーはＸ線断層写真を実行するために必要である。図７を参照すると、対応するビーム強度は、シンクロトロンの加速器の動作の連続する２つの周期を提供する。ほぼ１秒半から３秒半までの目盛りにおいて、ビームはある照射ポイントに向けられている。必要な線量値が照射されると、抽出は中断され、ビームは次の照射ポイントに移動されて、抽出処理は５秒半から７秒半までの目盛りに再開される。図６及び図７を組み合わせることにより、エネルギー及び強度の独立した制御を示すことになる。図６及び図７は本質的なものである。リアルタイムの動作においては、上述の処理の各々が、表示された割合の１０倍でオプションとして実行される。
【００８３】
（陽子ビームの位置制御）
図８には、ビーム配送及び腫瘍体積スキャンのシステムが示されている。現在、世界照射線治療界では、ペンシル・ビーム・スキャン・システムを用いて、線量磁場形成の方法を使用している。これと極めて対照的に、図８は、スポット・スキャン・システム又は腫瘍体積スキャン・システムを示している。腫瘍体積スキャン・システムにおいては、安価で精密なスキャン・システムを用いて、輸送及び分配という観点から陽子ビーム２６８が制御される。そのスキャン・システムは能動的なシステムであり、そのシステムでは、直径が約０．５、１、２、又は３ミリメートルの腫瘍８２０のスポット焦点の中にビームがフォーカスされる。陽子ビームの供給エネルギーを同時に変更する期間に、焦点は２つの軸に沿って一時的な位置２６９に平行移動され、そのことが焦点の第３の範囲を効果的に変化させる。例えば、図８（Ａ）に示すように、スポットは水平に平行移動され、垂直軸に沿って下に移動され、次に、再び水平に移動される。この実施例においては、電流が使用されて、少なくとも１つの磁石を有する垂直スキャン・システムを制御する。供給された電流は、垂直スキャン・システムの磁場を変更して、陽子ビームの垂直な偏向を制御する。同様に、水平スキャン磁石システムは、陽子ビームの水平な偏向を制御する。各軸に沿った平行移動の程度は制御されて、所定の深さの腫瘍断面に一致する。その深さは、陽子ビームのエネルギーを変化することによって制御される。例えば、陽子ビームのエネルギーは、新たに浸透する深さを限定するように減少され、水平軸及び垂直軸に沿ってスキャン処理が繰り返され、腫瘍の新たな断面領域をカバーする。
【００８４】
システムは制御の５個の軸、すなわち、ｘ軸、ｙ軸、エネルギー、強度、及び時間を有する。フィードバック電流及び副制御部５４０によって実現される強度制御は、強度制御の５番目の軸を提供する。５個の軸を組み合わせることにより、癌腫瘍の全体にわたってスキャン又は陽子ビームの焦点の移動が可能になる。各スポットにおける時間及び各スポットに対する体内への方向が制御されて、分散されたエネルギーが腫瘍の外側を叩く間に、癌全体の各部分に所望の照射線量をもたらす。
【００８５】
フォーカスされたビーム・スポットの面の大きさは、好ましくは、約０．５、１、又は２ミリメートルの直径に厳しく制御されるが、あるいは数センチメートルの直径に制御される。好ましい設計制御により、２つの方向、すなわち、（１）約１００ｍｍの垂直振幅及び２００Ｈｚまでの周波数、並びに（２）約７００ｍｍの水平振幅及び１Ｈｚまでの周波数で、スキャンすることが可能になる。スキャン磁石システムを変更することによって、各軸においてもっと大きな振幅又はもっと小さな振幅も可能である。
【００８６】
図８Ｂには、ビーム・エネルギーによって制御されてｚ軸に沿った、水平移動がｘ軸に沿った、垂直方向がｙ軸に沿った陽子が示されている。ｚ軸に沿って組織の中に移動する陽子の距離は、この実施例においては、陽子の運動エネルギーによって制御される。この座標システムは、決まったものではなく例示に過ぎない。陽子ビームの実際の制御は、２つのスキャン磁石システムを用いて３次元の空間の中で、陽子ビームの運動エネルギーを制御することによって制御される。
【００８７】
（呼吸制御）
体内組織の腫瘍に対する陽子の正確且つ精密な配送は、荷電粒子ビーム治療において重要である。正確且つ精密な配送を複雑にするのは、体の自然な動きである。体の１つの姿勢又は動きは患者の呼吸に関係し、患者の呼吸は体全体の動き、特に患者の胸の空洞の動きを招く。その動きは、器官などの体内の部位の動きを時間の関数としてもたらす結果になる。したがって、荷電粒子治療の至近距離及び又はその時間内において、体の要素の位置を判断する方法が必要である。この実施形態において、荷電粒子治療と併用する患者の呼吸の監視及び又は制御の方法及び装置について説明する。特に、癌腫瘍に対する多軸荷電粒子又は陽子ビームの放射治療と併用する患者の呼吸の監視及び又は制御の方法及び装置について説明する。例えば、呼吸監視システムは、温度センサ及び又は力センサを使用して、呼吸の周期の中の患者の位置を測定し、あるいはさらに、患者に配送されるフィードバック信号の制御と組み合わせて、吸入及び吐息が必要であることを患者に通知する。呼吸制御は、腫瘍に対する荷電粒子の配送に時間を合わせるという結果をもたらし、腫瘍治療の正確さ、精密さ、及び効率を高める。
【００８８】
図９を参照して、患者の呼吸９００に基づく腫瘍に対する陽子配送のタイミングについて説明する。一実施例においては、患者が位置決めされて９１０、治療対象の呼吸のリズムパターンが測定された９２０後は、例えば、表示モニタを介して、信号が治療対象にオプションとして送られて、呼吸の周波数をさらに正確に制御する９３０。例えば、表示画面が治療対象の前に配置されて、メッセージ又は信号が表示画面に送信されて、呼吸を止める時及び呼吸する時を治療対象に指示する。通常、呼吸制御モジュールは、上述したように、１つ以上の呼吸センサからの入力を使用する。例えば、その入力は、次の呼吸の吐息がいつ完了するかを測定するのに使用される。呼吸の底において、制御モジュールは、例えば、モニタ上で、音声信号を介して、デジタル化され且つ自動的に発生された音声指令、又は、可視制御信号を介して、呼吸止め信号を患者に提示する。好ましくは、表示モニタは治療対象の前に配置され、表示モニタは呼吸の指令を治療対象に表示する。通常、治療対象は、約０．５、１、２、３、５、又は１０秒などの短い時間の間、呼吸を止めることを指示される。呼吸が止められる時間は、好ましくは、腫瘍に対する陽子ビームの配送時間に同期しており、その時間は約０．５、１、２又は３秒である。呼吸の底において陽子を配送することが好ましいとはいえ、陽子は呼吸の周期の任意の点、例えば、最大吸入時に配送されてもよい。呼吸の頂点、又は、呼吸制御モジュールによって患者が息を深く吸い込んで、呼吸を止めることを指示された時の配送は、胸の空洞が最大になって、且つ、ある腫瘍にとって腫瘍と周辺の組織との間の距離が最大であるか、又は増加した体積の結果として周辺の組織が持ち上げられた呼吸の頂点においてオプションとして実行してもよい。したがって、周辺の組織を叩く陽子は最小になる。呼吸を止めることを要求する指示に対して、それを実行する作業を治療対象に気付かせるために、表示画面は、３、２、１秒のカウントダウンなどにより、治療対象に対して呼吸を止めることを要求する時を告げるようにしてもよい。
【００８９】
（呼吸センサ）
温度呼吸監視システムの第１の実施例について説明する。温度呼吸監視システムにおいては、センサは、患者の鼻及び又は口のそばに配置される。陽子線治療に用いる温度センサ・システムの部品による立体的な構造からの妨害を避けるために、温度呼吸監視システムは、好ましくは、胴体又は脚の腫瘍を治療する場合など、頭又は首には位置していない腫瘍を治療する場合に使用される。温度呼吸監視システムにおいては、第１の温度抵抗が使用されて、患者の呼吸の周期及び又は患者の呼吸の周期内の位置を監視する。好ましくは、第１の温度抵抗は患者の鼻のそばに配置され、その結果、鼻を通って第１の温度抵抗に吐く患者の息が、第１の温度抵抗を暖めて、吐息を表示する。好ましくは、第２の温度抵抗が環境温度センサとして動作する。第２の温度抵抗は、好ましくは、患者の呼吸路から外れた位置ではあるが、第１の温度抵抗と同じ環境の部屋に配置される。これらの温度抵抗からの電流など、センサによって発生された信号は、好ましくは、電圧に変換されて、主制御部１１０又は主制御部の副制御部に送信される。第２の温度抵抗は、好ましくは、第１の温度抵抗の信号の一部である環境温度の変動を調整するのに使用され、例えば、２つの温度抵抗の数値の間の差分を計算することによって、患者の呼吸の周期のより正確な読取を取得できる。
【００９０】
温度呼吸監視システムの第２の実施例について説明する。力呼吸監視システムにおいては、胴体のそばにセンサが配置される。陽子線治療に用いる力センサ・システムの部品による立体的な構造からの妨害を避けるために、力呼吸監視システムは、好ましくは、頭、首、又は脚に位置している腫瘍を治療する場合に使用される。力呼吸監視システムにおいては、ベルト又はストラップが、患者の各呼吸の周期と共に拡張又は収縮する患者の胴体の範囲の近傍に配置される。ベルトは、患者の胸のまわりにぴったりと合まって、且つ、伸縮可能であることが好ましい。力測定器はベルトに取り付けられて、患者の呼吸のパターンを検知する。力測定器にかけられる力は、呼吸の周期の間隔と相関関係がある。力測定器からの信号は、好ましくは、主制御部１１０又は主制御部の副制御部に送信される。
【００９１】
（呼吸と同期した陽子線治療）
一実施例においては、陽子線治療及び好ましくは、多磁場陽子治療は、呼吸フィードバック・センサの使用を介した患者の呼吸と調和し及び同期して、上述したように、患者の呼吸を監視し及び制御するのに使用される。荷電粒子治療は、好ましくは、部分的に固定され再現可能な位置における患者に対して実行され、荷電粒子ビームの入射、加速、抽出、及び又は目標の方法及び装置の制御によって、腫瘍に対する陽子が患者の呼吸に合わせて配送される。患者の呼吸に同期すると、患者の呼吸周期の期間における体の構成要素の動きに関係する位置の曖昧さを解消するので、陽子配送精度を高めることができる。
【００９２】
第２の実施形態においては、Ｘ線システムが、陽子治療ビームによって見られる方向と同じ方向における患者のＸ線画像を得るために使用され、Ｘ線システム及び陽子治療ビームの双方が患者の呼吸に同期する。同期したシステムは、陰イオン源、シンクロトロン、及び又は、患者の呼吸に合わせたＸ線を提供する目標の方法及び装置と併用することが好ましい。そのシステムにおいては、粒子線治療の照射の直前及び又は同時にＸ線が収集されて、患者位置に対して目標及び制御がなされた配送を保証することにより、陽子ビーム位置確認システムを用いて、患者の正常な組織の周囲に対する破壊を最小にしつつ、強力な癌腫瘍の効率的な、精密な、及び又は正確な治療を得ることができる。
【００９３】
図９において、陽子配送制御アルゴリズムは、対象が呼吸を止めている呼吸の頂点又は底など、各呼吸の所定の期間内に、腫瘍に対する陽子の配送に同期させるのに使用される。陽子配送制御アルゴリズムは、好ましくは、呼吸制御モジュールと統合される。このため、陽子配送制御アルゴリズムは、患者が呼吸をしている時、呼吸の周期における患者の現在位置、及び又は患者が呼吸を止めている時を認識する。患者の呼吸の監視９２０又は患者の呼吸の制御９３０に基づいて、陽子配送制御アルゴリズム又は主制御部１１０は、陽子配送のタイミングを制御する。例えば、主制御部１１０は、いつ陽子をシンクロトロンの中に入射するか９４０及び又は予備加速するか、どのように陽子を加速するか９５０、上述したように、いつ高周波信号を供給して発振を誘導するか、及び、上述したように、いつ直流電圧を供給してシンクロトロンから陽子を抽出するか９６０を、制御する。したがって、患者の呼吸周期における既知の又は制御されたポイントで腫瘍が照射され９７０、これにより、腫瘍に対する陽子配送の精密さ及び正確さを高めることができる。通常、陽子配送制御アルゴリズムは、治療対象が呼吸を止めることを指示される前に、又は、陽子配送時間のために選択された呼吸の周期における特定された期間の前に、陽子の予備加速及びそれに続くＲＦ誘導発振を初期化する。この方法において、陽子配送制御アルゴリズムは、上述したように、第２の一対のプレートに高い直流電圧を同時に又はほぼ同時に配送することによって、選択された呼吸の周期の期間に陽子を配送することができる。その結果、シンクロトロンからの陽子の抽出ができると共に、それに続く患者に対する陽子の配送を選択された時点にすることができる。シンクロトロンにおける陽子の加速の期間は一定であるか又は陽子ビームの所望のエネルギーレベルに対して周知であるので、陽子配送制御アルゴリズムは、患者の呼吸の周期又は所望の呼吸の周期に対して整合する交流ＲＦ信号を設定するのに使用される。
【００９４】
図１０は、フィードバック・ループを用いて磁場制御を明確にして、配送時間及び又は陽子パルス配送の間隔を変更する一実施例である。ある１つ場合においては、呼吸センサは、患者の呼吸の周期を感知する。呼吸センサは、通常、患者インターフェース・モジュール１５０を介して、及び又は、主制御部１１０若しくはその副制御部を介して、磁場制御部のアルゴリズムに情報を送信する。アルゴリズムは、患者が呼吸の周期において、呼吸の底などの特異なポイントになるときを予測及び又は測定する。磁場センサは、磁場制御部への入力として使用され、シンクロトロン１３０の第１の偏向磁石２４０内などの所定の磁場に対する磁気電力供給を制御する。したがって、制御フィードバック・ループは、選択されたエネルギーレベルをシンクロトロンにダイヤルするのに使用され、また、呼吸が底の時などの選択された時点の時間内に、所望のエネルギーレベルで陽子を配信するのに使用される。呼吸周期において選択されたポイントは、呼吸周期のどの位置でも及び又は呼吸周期のどの期間でも任意である。図１０に示すように、選択された時間間隔は、呼吸の頂点であり、約０．１、０．５、又は１秒の期間になっている。特に、主制御部１１０は、シンクロトロンの中への水素の入射、陰イオン１０２０の形成を制御し、陰イオン源からの陰イオンの抽出を制御し、シンクロトロン１３０の中への陽子の入射９４０を制御し、及び又は、抽出９６０と組み合わせた方法で加速を制御９５０し、呼吸周期の選択されたポイントにおいて腫瘍に対して陽子２６８を配送する９７０。上述したように、陽子ビームの強度もこの段階で主制御部１１０によって選択可能になり、制御可能になる。磁場制御部からのフィードバック制御は、主偏向磁石２５０の１つ若しくは双方、又は主偏向磁石２５０内の補正コイル３８０、３９０に対してオプションとして電力供給を行う。供給する電流を小さくすることによって、補正コイル３８０、３９０は、新たに選択された加速周波数又は対応する荷電粒子のエネルギーレベルに対して迅速に調整できる。特に、磁場制御部は、患者の呼吸周期に連動している主偏向磁石又は補正コイルに対して供給される磁場を変更する。このシステムは、電流が一定の値に安定化され、且つ、固定した周期の１０又は２０サイクル／秒のように、１つの周期でシンクロトロンがパルスを配送するようなシステムとは、全く対照的である。補正コイルと組み合わせた磁場のフィードバックの設計により、抽出の周期を患者の呼吸の変化速度に整合することが好ましい。その整合においては、第１の呼吸周期１０１０のＰ１は、第２の呼吸周期１０１５のＰ２とは異なる。
【００９５】
この実施形態においては、ある好適な実施形態を参照して本発明を説明したが、当業者は、本発明の精神及び範囲を逸脱することなく、この明細書において上記した実施形態に置き換えることができる他の応用例を容易に想到するであろう。したがって、本発明は、本願に添付された特許請求の範囲によってのみ限定されることになる。
【００９６】
（関連出願の相互参照）
本出願は、
米国仮特許出願６１／０５５，３９５（２００８年５月２２日出願）、
米国仮特許出願６１／１３７，５７４（２００８年８月１日出願）、
米国仮特許出願６１／１９２，２４５（２００８年９月１７日出願）、
米国仮特許出願６１／０５５，４０９（２００８年５月２２日出願）、
米国仮特許出願６１／２０３，３０８（２００８年１２月２２日出願）、
米国仮特許出願６１／１８８，４０７（２００８年８月１１日出願）、
米国仮特許出願６１／２０９，５２９（２００９年３月９日出願）、
米国仮特許出願６１／１８８，４０６（２００８年８月１１日出願）、
米国仮特許出願６１／１８９，８１５（２００８年８月２５日出願）、
米国仮特許出願６１／２０８，１８２（２００９年２月２３日出願）、
米国仮特許出願６１／２０１，７３１（２００８年１２月１５日出願）、
米国仮特許出願６１／２０８，９７１（２００９年３月３日出願）、
米国仮特許出願６１／２０５，３６２（２００９年１月１２日出願）、
米国仮特許出願６１／１３４，７１７（２００８年７月１４日出願）、
米国仮特許出願６１／１３４，７０７（２００８年７月１４日出願）、
米国仮特許出願６１／２０１，７３２（２００８年１２月１５日出願）、
米国仮特許出願６１／１９８，５０９（２００８年１１月７日出願）、
米国仮特許出願６１／１３４，７１８（２００８年７月１４日出願）、
米国仮特許出願６１／１９０，６１３（２００８年９月２日出願）、
米国仮特許出願６１／１９１，０４３（２００８年９月８日出願）、
米国仮特許出願６１／１９２，２３７（２００８年９月１７日出願）、
米国仮特許出願６１／２０１，７２８（２００８年１２月１５日出願）、
米国仮特許出願６１／１９０，５４６（２００８年９月２日出願）、
米国仮特許出願６１／１８９，０１７（２００８年８月１５日出願）、
米国仮特許出願６１／１９８，２４８（２００８年１１月５日出願）、
米国仮特許出願６１／１９８，５０８（２００８年１１月７日出願）、
米国仮特許出願６１／１９７，９７１（２００８年１１月３日出願）、
米国仮特許出願６１／１９９，４０５（２００８年１１月１７日出願）、
米国仮特許出願６１／１９９，４０３（２００８年１１月１７日出願）、
米国仮特許出願６１／１９９，４０４（２００８年１１月１７日出願）、
の利益を主張し、及び
ＰＣＴ特許出願ＰＣＴ／ＲＵ２００９／０００１５「Multi-Field Charged Particle Cancer Therapy Method and Apparatus:マルチフィールド荷電粒子の癌治療の方法及び装置（２００９年３月４日出願）」
について優先権を主張する。
これらのすべては、これらの開示内容を引用することにより、その全部がこの出願に組み込まれている。
【図１】
2014146606.tif 000003
【図２】
2014146606.tif 000004
【図３】
2014146606.tif 000005
【図４】
2014146606.tif 000006
【図５】
2014146606.tif 000007
【図６】
2014146606.tif 000008
【図７】
2014146606.tif 000009
【図８】
2014146606.tif 000010
【図９】
2014146606.tif 000011
【図１０】
2014146606.tif 000012